(57)【要約】【課題】室内空間に位置する冷蔵庫のドアを除いた部分を室外に露出させることで、冬のように室外温度が低いときは、冷蔵庫の作動を根本的に停止させながら、冷蔵庫によって消耗される電力エネルギーを１／２（１年基準）にまで減少させ、冷蔵庫の放熱を室外に排出させながら室内温度の上昇を防止するとともに、冷蔵庫で発生する騒音を室内空間から遮断させ、室内環境を静粛かつ快適に改善させられる冷蔵庫室外据え置き型建築物を提供する。 【解決手段】多数の壁体１１０によって室内１２０と室外１３０とを区分し、室内１２０に冷蔵庫１４０を位置させて使用する建築物において、前記壁体１１０のうち何れか一つに貫通口１０を形成して冷蔵庫ドア１５８を室内１２０に位置させ、冷蔵庫１４０の他の部分を外気に露出させることで、冷蔵庫１４０によって消耗される電力エネルギーを減少させることを特徴とする冷蔵庫室外据え置き型建築物を構成する。【選択図】図５
2008507642.tif 000002
【特許請求の範囲】
【請求項１】
多数の壁体によって室内と室外とを区分し、室内に冷蔵庫を位置させて使用する建築物において、
前記壁体のうち何れか一つに貫通口を形成して冷蔵庫ドアを室内に位置させ、冷蔵庫の他の部分を外気に露出させることで、冷蔵庫によって消耗される電力エネルギーを減少させることを特徴とする冷蔵庫室外据え置き型建築物。
【請求項２】
前記貫通口は、一面が室内に向かい、他面が室外に向かう壁体に形成され、設置される冷蔵庫よりやや大きく形成された収納空間を有することを特徴とする請求項１に記載の冷蔵庫室外据え置き型建築物。
【請求項３】
前記貫通口と前記冷蔵庫との間の空間を遮蔽させ、室内と室外とを隔離させる遮蔽手段をさらに含み、室外で発生した冷蔵庫の熱及び騷音が室内に流入することを遮断することを特徴とする請求項１または２に記載の冷蔵庫室外据え置き型建築物。
【請求項４】
前記貫通口は、ベランダと室内とを区画する壁体上に形成され、前記ベランダから遮断されており、通風口が形成された収納空間を有する構造であることを特徴とする請求項１に記載の冷蔵庫室外据え置き型建築物。
【請求項５】
前記遮蔽手段は、断熱性に優れたスタイロフォームなどの断熱物質を内蔵し、布または薄い可撓性合成プラスチックカバーなどからなる外皮で取り囲まれた構造であるか、ゴムベローズなどからなることを特徴とする請求項３に記載の冷蔵庫室外据え置き型建築物。
【請求項６】
多数の壁体によって室内と室外とを区分し、室内に冷蔵庫を位置させて使用する建築物において、
前記室内空間の一部分に冷蔵庫が位置する冷蔵庫収納空間が形成され、前記冷蔵庫収納空間が室内の残りの空間と隔壁によって分離される冷蔵庫収納室と、
前記冷蔵庫収納室の隔壁のうち何れか一つに形成され、外気を前記冷蔵庫収納室の内部に流通させる通気手段と、を含み、前記冷蔵庫によって消耗される電力エネルギーを減少させることを特徴とする冷蔵庫室外据え置き型建築物。
【請求項７】
前記通気手段は、グリルであるか、百葉箱の構造からなり、前記冷蔵庫収納室への外気流通が自由であることを特徴とする請求項６に記載の冷蔵庫室外据え置き型建築物。
【請求項８】
前記冷蔵庫収納室と室内空間とを分離する隔壁のうち何れか一つに形成されたドアをさらに含み、前記冷蔵庫収納室で発生した冷蔵庫の熱及び騷音を室内から分離させ、ドアの開放時、前記冷蔵庫ドアを室内で開放するように構成されたことを特徴とする請求項６に記載の冷蔵庫室外据え置き型建築物。
【請求項９】
前記ドアは、ペアガラス、アクリルまたはレキサン（透明な高分子物質）などの断熱性に優れた材料からなることを特徴とする請求項８に記載の冷蔵庫室外据え置き型建築物。
【請求項１０】
前記冷蔵庫収納室は、ベランダの一側に隔壁を形成して位置されたことを特徴とする請求項６に記載の冷蔵庫室外据え置き型建築物。
【発明の詳細な説明】
【技術分野】
【０００１】
本発明は、住居用または営業用建築物で冷蔵庫を室外に露出させることで、冷蔵庫によって消耗される電力エネルギーを減少させるとともに、室内放熱及び騷音の弊害を防止するための建築物に関するものである。一層詳しく、本発明は、冷蔵庫のドアを除いた部分を室外に露出させることで、冬のように室外温度が低いときは、冷蔵庫の作動を根本的に停止させながら、冷蔵庫によって消耗される電力エネルギーを１／２（１年基準）にまで減少させ、夏には冷蔵庫の放熱を室外に排出させながら室内温度の上昇を防止するとともに、冷蔵庫で発生する騷音を室内空間から遮断させ、室内環境を静粛かつ快適に改善させられる冷蔵庫室外据え置き型建築物に関するものである。
【背景技術】
【０００２】
一般に、冷蔵庫は、冷凍室及び冷蔵室を備えた一般的な家庭用冷蔵庫、冷蔵室のみを備えたキムチ冷蔵庫、冷凍室のみを備えた冷凍庫などの内部温度を外気温度より低く維持し、その温度を維持するために冷媒を使用し、通常的に家庭または営業場所で使用可能なものである。以下、説明の簡略化のために、上記のような種類の冷蔵庫を、ただ冷蔵庫と総称する。
【０００３】
従来の建築物１００は、図１に示すように、一つまたはそれ以上の壁体１１０によって室内１２０と室外１３０とを区分し、室内１２０に冷蔵庫１４０を据え置く構造となっている。
【０００４】
上記のような建築物１００の室内１２０に位置する冷蔵庫１４０は、図２に示すように、夏のみならず、冬、春及び秋のように外部温度が低い場合も、冷蔵室の内部温度を低く維持するために１年中作動している。
【０００５】
すなわち、建築物１００の室内１２０温度は、人体に適した所定の温度に維持されるべきであるが、冷蔵庫１４０は、室内１２０温度とは関係なしに、使用者が設定した温度値にしたがって作動している。
【０００６】
図２は、一般的な室内１２０居住空間の平均温度Ｔ１と冷蔵庫内部の平均温度Ｔ２を示したグラフである。図２に示すように、室内１２０居住空間の平均温度Ｔ１が略２０℃〜２５℃である反面、冷蔵庫内部の平均温度Ｔ２が略５℃であるので、冷蔵庫１４０は、ほぼ１年中室内１２０で動作する。すなわち、室内に置かれた冷蔵庫１４０は、常に一年中動作しながら、前記室内の平均温度Ｔ１と冷蔵庫の平均温度Ｔ２との差に該当する電力エネルギーを使用する。
【０００７】
その反面、図３に示すように、本発明のように、冷蔵庫１４０が室外１３０に置かれると、室外の平均温度Ｔ３と冷蔵庫１４０内部の平均温度Ｔ２との差だけのエネルギー放出が必要となり、冷蔵庫１４０は、室外温度Ｔ３と冷蔵庫内の平均温度Ｔ２との差に該当する電力エネルギーを使用するようになる。
【０００８】
すなわち、従来のように冷蔵庫１４０が室内１２０に置かれると、室内の平均温度Ｔ１と冷蔵庫内部の平均温度Ｔ２との差だけの熱エネルギー放出が必要となるが、本発明のように冷蔵庫１４０が室外１３０に置かれると、室外の平均温度Ｔ３と冷蔵庫内部の平均温度Ｔ２との差だけの熱エネルギー放出のみが必要となるので、冷蔵庫１４０によって消耗されるエネルギーは、約１／２程度にまで節約可能になる。
【０００９】
特に、従来は、夏のように高い室内１２０温度によって不快感を感じるときも、室内１２０に設置された冷蔵庫１４０が、依然として室内１２０に放熱するので、室内１２０温度が一層高くなり、不快感が一層増加していた。
【００１０】
したがって、本発明は、従来のように冷蔵庫１４０が室内１２０に位置する場合に比べて、最大１／２程度の電力エネルギー節約効果があり、この節約効果は、室内と室外の温度差が大きくなる冬季において最も大きく表れる。また、夏季のように、室内と室外の温度差が少ないか、却って室外温度が高くなる場合、冷蔵庫によって消耗される電力エネルギーがほとんど熱に変わるので、室内に置かれた冷蔵庫が月間１２０ｋｗｈの電力を消耗することは、夏季に毎日４ｋｗｈ程度の暖房をしていることと同様である。
【００１１】
上記のように夏に表れる暖房効果を除去することで、室内環境が快適になることは勿論で、室内でエアコンを使用する場合、冷蔵庫は、電力消耗量の約１／３程度（約４０ｋｗｈ）のエネルギー節約効果を有する。
【００１２】
上記のようにエアコンを用いる場合、エアコンは、冷蔵庫１４０から発生する全ての熱量を再び冷却させ、熱ポンプで排出すべきであるため、上述したように、夏には電力エネルギー使用が増加する。上記のような理由で、本発明によれば、室内１２０の温度上昇が発生しないため、エアコンの使用による電力の最大使用値が夏ごとに表れる問題を解決または緩和する直接的な利得を提供することと判断される。
【００１３】
図４は、一般的な家庭用冷蔵庫１４０を例示している。
【００１４】
前記冷蔵庫１４０の内部には、相互区画された冷凍室１４２及び冷蔵室１４４が位置し、前記冷凍室１４２及び冷蔵室１４４には、蒸発器１４６及びファン１４８がそれぞれ設置される。そして、前記冷凍室１４２及び冷蔵室１４４には、内部温度をそれぞれ感知するための冷凍室温度センサー及び冷蔵室温度センサーと、前記冷蔵庫１４０が設置された周囲の温度を感知するための外気温度センサーと、が装着される。
【００１５】
また、ドア１５８には、使用者から内部温度の設定を受けるためのキー入力部が構成され、このキー入力部のキー操作によって設定された温度と、各温度センサーで感知された内部温度とを比較した後、前記冷凍室１４２及び冷蔵室１４４に対して冷却運転を行うかどうかを判断する。また、冷蔵庫１４０は、前記判断結果によって冷媒圧縮機１７０の駆動をオン・オフにする制御部を含んで構成される。
【００１６】
前記冷蔵庫１４０は、生活必需品となって各家庭または営業場所で用いられている。この冷蔵庫１４０は、Ｌ社の４９９リットル冷蔵庫の場合、月間の電力消費量が５４ｋｗであると表示されているが、これは、冷蔵庫を空の状態にしたときの１ケ月間の電力消費量であり、実際に使用しながら測定した電力消費量は、１１９ｋｗ程度の莫大な量に表示される。
【００１７】
通常、住居用建物での室内の平均温度Ｔ１は、冬季に約２０℃に維持され、夏季に約２５℃に維持される。その反面、冷蔵庫１４０は、その内部温度を低く維持するために、冷媒を気体状態から液体状態に凝縮・気化させるための圧縮機１７０と、冷気を循環させるためのファン１４８を作動させなければならない。したがって、このような室内１２０の平均温度Ｔ１と冷蔵庫１４０の内部温度との差に該当する電力エネルギーが消耗される。
【００１８】
上記のような過程で、前記圧縮機１７０とファン１４８から熱が発散される。特に、圧縮機１７０で高熱が発生するが、この熱がほとんど室内１２０に発散されるので、夏には、室内１２０の温度が上昇し、この上昇した室内１２０の温度を低下させるために用いるエアコンの電力消耗が増加するという悪循環が繰り返される。
【００１９】
さらに、前記圧縮機１７０とファン１４８の作動によって騷音が発生するので、室内１２０空間が騒々しく快適でない状態になり、不快感を高めるようになる。
【００２０】
しかしながら、従来は、上記のように冷蔵庫によって発生する弊害を解消するための何らの解決策も提示していない。
【発明の開示】
【発明が解決しようとする課題】
【００２１】
本発明は、上記のような従来の問題点を解消するためのものであって、その目的は、室内空間に位置する冷蔵庫のドアを除いた部分を室外に露出させることで、冬のように室外温度が低いときは、冷蔵庫の作動を根本的に停止させながら、冷蔵庫によって消耗される電力エネルギーを１／２（１年基準）にまで減少させ、冷蔵庫の放熱を室外に排出させながら室内温度の上昇を防止するとともに、冷蔵庫で発生する騒音を室内空間から遮断させ、室内環境を静粛かつ快適に改善させられる冷蔵庫室外据え置き型建築物を提供することにある。
【課題を解決するための手段】
【００２２】
上記のような目的を達成すべく、本発明は、多数の壁体によって室内と室外とを区分し、室内に冷蔵庫を位置させて使用する建築物において、前記壁体のうち何れか一つに貫通口を形成して冷蔵庫ドアを室内に位置させ、冷蔵庫の残り部分を外気に露出させることで、冷蔵庫によって消耗される電力エネルギーを減少させることを特徴とする冷蔵庫室外据え置き型建築物を提供する。
【００２３】
また、本発明は、多数の壁体によって室内と室外とを区分し、室内に冷蔵庫を位置させて使用する建築物において、前記室内空間の一部分に冷蔵庫が位置する冷蔵庫収納空間が形成され、前記冷蔵庫収納空間が室内の残りの空間と隔壁によって分離される冷蔵庫収納室と、前記冷蔵庫収納室の隔壁のうち何れか一つに形成され、外気を前記冷蔵庫収納室の内部に流通させる通気手段と、を含み、前記冷蔵庫によって消耗される電力エネルギーを減少させることを特徴とする冷蔵庫室外据え置き型建築物を提供する。
【発明の効果】
【００２４】
本発明によると、建築物の構造を変更し、冷蔵庫のドアを除いた部分を室外に露出させることで、冬のように室外温度が低いときは、冷蔵庫の作動を根本的に停止させながら、冷蔵庫によって消耗される電力エネルギーを１／２（１年基準）にまで減少させることができる。
【００２５】
したがって、本発明は、使用者によるエネルギー消耗量を基本的に減少させるだけでなく、このエネルギー消耗量のために地球温暖和化の側面で環境親和的である。また、本発明は、間接的には発展設備を増設するための費用を節減するとともに、家庭で使用するエネルギーを減少させることで、産業用またはその他の用途にも用いられる。
【００２６】
さらに、本発明は、冷蔵庫の作動によって発生する騷音が室内に流入することを防止することで、室内居住者は、騒音の少ない快適な居住空間を確保することができる。したがって、居住者が騷音公害から解放されることで、生活の質を向上させることができる。
【発明を実施するための最良の形態】
【００２７】
以下、本発明の好ましい実施例を、図面を参照してより詳細に説明する。
【００２８】
本発明の第１実施例に係る冷蔵庫室外据え置き型建築物１は、図５〜図８に示すように、多数の壁体１１０によって室内１２０と室外１３０とを区分する建築物であり、前記壁体１１０のうち何れか一つに貫通口１０を形成して冷蔵庫１４０を室外１３０に位置させ、冷蔵庫１４０のドア１５８を室内１２０に位置させる。
【００２９】
前記貫通口１０は、設置される冷蔵庫１４０よりやや大きく形成されることで、ほとんどの冷蔵庫１４０を室外に露出させ、冷蔵庫１４０のドア１５８のみを室内１２０に露出させる。
【００３０】
そして、前記貫通口１０と前記冷蔵庫１４０との間の空間を遮蔽させることで、室内１２０と室外１３０とを隔離させる遮蔽手段２０を含む。
【００３１】
前記遮蔽手段２０は、冷蔵庫１４０の熱及び騷音を室内１２０から分離させるだけでなく、室内１２０への外気の流入を遮断したり、室外１３０への室内空気の流出を遮断する。
【００３２】
したがって、前記遮蔽手段２０は、前記貫通口１０と前記冷蔵庫１４０との間の隙間２５を密封させるものである。すなわち、前記遮蔽手段２０は、断熱性に優れたスタイロフォームなどの断熱物質を内蔵し、布または薄い可撓性合成プラスチックカバーなどからなる外皮で取り囲まれた構造で、前記空間を埋めてシリコンコーキングなどで仕上げるか、ゴムベローズなどで空間（隙間）を埋めて仕上げるように構成される。
【００３３】
一方、冷蔵庫１４０の大きさが予め確定された場合、建築物の築造時、その大きさを勘案して前記貫通口１０の大きさを定め、所定の隙間２５が残るように建築を完了した後、入居時に冷蔵庫１４０を押し入れ、所定規格の遮蔽手段２０に仕上げる方法もある。また、アパートの分譲時点で冷蔵庫１４０を提供する場合、隙間２５と遮蔽手段２０を冷蔵庫１４０の大きさに合せて形成し、建築を完了する前に、冷蔵庫１４０を設置して仕上げる方法もある。
【００３４】
そして、前記冷蔵庫１４０に供給する電源が室内１２０の電源ソケットから連結され、前記電源を供給する電線３０が貫通口１０を通過するので、何らの問題も発生しない。
【００３５】
一方、上記のような本発明の建築物がアパートまたは多所帯の共同住宅である場合、ベランダ２００と室内１２０とを区画する壁体１１０上に前記貫通口１０が形成される。この場合、前記遮蔽手段２０が必要であることは勿論で、この遮蔽手段２０は、ベランダ２００から室内１２０への空気が遮断され、シャーシなどによってベランダ２００への外気が遮断されない構造であればよい。
【００３６】
上記のように、本発明は、建築物の室内１２０に位置する冷蔵庫１４０のドアを除いた部分を室外に露出させることで、冬季のように室外温度が低いとき、冷蔵庫の作動を根本的に停止させながら、冷蔵庫によって消耗される電力エネルギーを１／２（１年基準）にまで減少させ、発熱源を外部に露出させるように壁体１１０の構造を取り替える。その結果、冷蔵庫１４０で発生する熱及び騷音が室内１２０の空間に流入することが効果的に遮断される。したがって、夏季には、室内１２０の温度上昇を防止しながらエアコンの稼動率を低下させることで、騒音の少ない快適な室内１２０環境を作るという環境改善効果を得られる。
【００３７】
図９は、本発明に係る冷蔵庫室外据え置き型建築物１の第２実施例を示している。本発明の第２実施例は、多数の壁体１１０によって室内１２０と室外１３０とを区分する建築物の構造であり、前記室内１２０空間の一部分に冷蔵庫収納室５０が形成される。前記冷蔵庫収納室５０には、冷蔵庫１４０が位置する冷蔵庫収納空間５５が形成されるが、この冷蔵庫収納空間５５と冷蔵庫１４０が遮蔽されることで、外気が冷蔵庫１４０の前面に達することなく、前記冷蔵庫収納空間５５が室内１２０の他の空間と隔壁６０によって分離される。この概念は、図１０に示されている。ただし、図１０は、冷蔵庫１４０の後方に百葉箱構造を有する点で図９と異なっている。
【００３８】
また、前記冷蔵庫収納室５０にドア６５が備わるべきであり、このドア６５は、冷蔵庫収納室５０と室内１２０空間とを分離する隔壁６０のうち何れか一つに形成され、前記冷蔵庫収納室５０と室内１２０を選択的に開閉させる。したがって、前記ドア６５の開放時、冷蔵庫１４０のドア１５８が室内１２０で開放される。
【００３９】
そして、前記冷蔵庫収納室５０の隔壁６０のうち他の一つに通気手段７０が形成され、前記冷蔵庫収納室５０の内部に外気が流通される。前記通気手段７０は、通常のグリルであるか、常に開放状態の窓であり、外気が前記冷蔵庫収納室５０に自由に流入する構造を有する。
【００４０】
また、共同住宅である場合、ベランダ２００の一側に隔壁６０を形成すると、前記冷蔵庫収納室５０が一層容易に配置される。
【００４１】
上記のように構成された本発明の第２実施例では、外気を前記冷蔵庫収納室５０に流通させるための収納空間５５を設け、この収納空間５５をヒンジ開閉式ドアまたはスライディングドアなどのドア６５によって遮断する。よって、この収納空間５５に冷蔵庫１４０を設置することで、ドア６５は、冷蔵庫１４０の使用時のみに開放され、使用終了後に閉鎖される。
【００４２】
前記冷蔵庫収納室５０と室内１２０とを遮断するドア６５は、ペアガラス、アクリル、レキサン（防弾ガラスとしても用いられる透明な高分子物質）などの断熱性に優れた材料を用いて形成すると、冷蔵庫１４０の熱及び騷音が室内１２０に流入することを遮断するだけでなく、前記ドア６５を通した室内１２０の熱損失を減少させることができる。
【００４３】
また、このドア６５が手動または自動で開放されるか、自動で閉鎖される安全システムを採択することで、エネルギー節約効果を極大化することもできる。
【００４４】
そして、キムチ冷蔵庫１４０は、上部にドアが取り付けられた構造であるので、本発明の第２実施例のような冷蔵庫収納室５０とドア６５の構造が効果的に適用される。
【００４５】
上記のような本発明は、第１実施例を用いて冷蔵庫１４０のドア１５８のみを室内１２０に露出させ、キムチ冷蔵庫１４０の場合、第２実施例を用いて冷蔵庫収納室５０とドア６５を設置する二つの方法を混合して使用することができる。
【００４６】
上記の第１及び第２実施例のうち何れにおいても、冷蔵庫１４０の後方または側方に設置される通気手段７０は、空気流通を円滑にし、外部人が侵入したり、使用者が内部で墜落しないように防犯機能を備えるべきである。ここで、冷蔵庫１４０の周囲に少なくとも１０cm以上の余裕空間が残って空気流通が円滑になり、日照時にも、百葉箱構造のように常に影が維持されるように設計されると好ましい。
【００４７】
一方、本発明は、従来のように冷蔵庫１４０が室内１２０に位置する場合に比べると、冬季のように室外温度が低いとき、冷蔵庫１４０の作動を根本的に停止させながら、冷蔵庫によって消耗される電力エネルギーを１／２（１年基準）にまで減少させ、冷蔵庫の放熱を室外に排出させながら、室内温度の上昇を防止すると同時に、冷蔵庫で発生する騷音を室内空間から遮断させることで、室内環境を静粛かつ快適にする。
【００４８】
図１１は、本発明が引き出し式キムチ冷蔵庫１４０に適用される状態を示し、図１２は、本発明が引き出し式キムチ冷蔵庫と一般的な冷蔵庫に適用される状態を示している。このような適用例は、本発明の第１実施例を応用して容易に具現される。
【００４９】
そして、図１３は、本発明が上部開放型ドアを有するキムチ冷蔵庫１４０に適用された状態を示し、図１４は、本発明が引き出し式キムチ冷蔵庫と一般的な冷蔵庫に適用された状態を示している。このような適用例は、本発明の第１及び第２実施例を応用して容易に具現される。
【００５０】
上記のように、本発明によると、アパートの構造を変更し、冷蔵庫１４０によって消耗されるエネルギーを減少させることで、夏季の電力欠乏現象を緩和するとともに、電力供給予備率を高めることができる。
【００５１】
以上、本発明の特定構造を説明してきたが、本発明は、これに限定されるものでなく、本発明の技術思想及び権利範囲を逸脱しない範囲で当業者によって多様に変形可能である。例えば、貫通口１０、遮蔽手段２０、ドア６５及び通気手段７０などの各種の構成要素の単純形状及び材質変更や、物理的な仕様変更及び均等物品の使用などの全ては、当業者にとって自明なものであり、このような変形構造は、全て本発明の権利範囲に属するものである。
【００５２】
また、本発明は、冷蔵庫１４０を用いる住居用建築物のみならず、営業用及び商業用建築物にも応用することができる。
【００５３】
上記の本発明は、特定の実施例に関して図示され説明されたが、これは単なる例示として本発明を説明するため記載されたもので、本発明をこのような特定構造で制限するのではない。当業界において通常の知識を有する者であれば、添付の特許請求の範囲に記載された本発明の思想及び領域を外れない範囲内で本発明を多様に修正及び変形できることが分かる。しかし、このような修正及び変形構造は、何れも本発明の権利範囲内に含まれることを明らかにする。
【図面の簡単な説明】
【００５４】
【図１】従来技術に係る冷蔵庫室内据え置き型建築物を示した概略平面図である。
【図２】従来技術に係る室内の平均温度、冷蔵庫内部の平均温度及び冷蔵庫の動作期間を説明するためのグラフである。
【図３】本発明に係る室内の平均温度、冷蔵庫内部の平均温度及び室外の平均温度を示したグラフで、冷蔵庫を外部に置いたとき、冷蔵庫によって消耗される電力エネルギーが１／２程度にまで節約されることを説明するためのグラフである。
【図４】一般的な家庭用冷蔵庫の構造を示した縦断面図である。
【図５】本発明の第１実施例に係る冷蔵庫室外据え置き型建築物を示した概略平面図である。
【図６】本発明の第１実施例に係る冷蔵庫室外据え置き型建築物の他の配置構造を示した概略平面図である。
【図７】本発明の第１実施例に係る冷蔵庫室外据え置き型建築物における冷蔵庫の配置構成を示した外観斜視図である。
【図８】本発明の第１実施例に係る冷蔵庫室外据え置き型建築物における冷蔵庫の配置構成を示した縦断面図である。
【図９】本発明の第２実施例に係る冷蔵庫室外据え置き型建築物を示した概略平面図である。
【図１０】本発明の第２実施例に係る冷蔵庫室外据え置き型建築物において、冷蔵庫が収納室内に配置される構成を示した縦断面図である。
【図１１】本発明が引き出し式キムチ冷蔵庫に適用された状態を示した説明図である。
【図１２】本発明が引き出し式キムチ冷蔵庫と一般的な冷蔵庫に適用された状態を示した説明図である。
【図１３】本発明が上部開放型ドアを有するキムチ冷蔵庫に適用された状態を示した説明図である。
【図１４】本発明の第１及び第２実施例が引き出し式キムチ冷蔵庫と一般的な冷蔵庫に適用された状態を示した説明図である。
【符号の説明】
【００５５】
１  室外据え置き型建築物
１０  貫通口
２０  遮蔽手段
４０  通風口
１１０  壁体
１２０  室内
１３０  室外
１４０  冷蔵庫
１５８  冷蔵庫ドア
２００  ベランダ
【図１】
2008507642.tif 000003
【図２】
2008507642.tif 000004
【図３】
2008507642.tif 000005
【図４】
2008507642.tif 000006
【図５】
2008507642.tif 000007
【図６】
2008507642.tif 000008
【図７】
2008507642.tif 000009
【図８】
2008507642.tif 000010
【図９】
2008507642.tif 000011
【図１０】
2008507642.tif 000012
【図１１】
2008507642.tif 000013
【図１２】
2008507642.tif 000014
【図１３】
2008507642.tif 000015
【図１４】
2008507642.tif 000016
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
多数の壁体によって室内と室外とを区分し、室内に冷蔵庫を位置させて使用する建築物において、前記室内空間の一部分に冷蔵庫が位置する冷蔵庫収納空間が形成され、前記冷蔵庫収納空間が室内の残りの空間と隔壁によって分離される冷蔵庫収納室と、前記冷蔵庫収納室の隔壁のうち何れか一つに形成され、外気を前記冷蔵庫収納室の内部に流通させる通気手段と、を含み、前記通気手段は、グリルであるか、百葉箱の構造からなり、前記冷蔵庫収納室への外気流通が自由で、前記冷蔵庫によって消耗される電力エネルギーを減少させることを特徴とする冷蔵庫室外据え置き型建築物。
【請求項２】
前記冷蔵庫収納室と室内空間とを分離する隔壁のうち何れか一つに形成されたドアをさらに含み、前記冷蔵庫収納室で発生した冷蔵庫の熱及び騷音を室内から分離させ、ドアの開放時、前記冷蔵庫ドアを室内で開放するように構成されたことを特徴とする請求項１に記載の冷蔵庫室外据え置き型建築物。
【請求項３】
前記ドアは、ペアガラス、アクリルまたはレキサン（透明な高分子物質）などの断熱性に優れた材料からなることを特徴とする請求項２に記載の冷蔵庫室外据え置き型建築物。
【国際調査報告】
2008507642.tif 000017
2008507642.tif 000018